(57)【要約】      （修正有）【課題】安価且つ有効なヒ−トパイプを提供すると共に、これを利用して製作並びに保全が容易で熱効率良き床暖房装置等を提供する。【解決手段】ヒ−トパイプは、通常の作動液基材及び他の適当な物理特性を持つ無害の液体から調整された特殊作動液体を、熱伝導性良好な筒体内に部分的に封入し、この液体内に前記筒体の密封被蓋を介して絶縁された電熱線を浸漬し、この電熱線の端子に電源コネクタ−を接続すると共に管内を高真空化して通電する様に構成されている。この様な構成に依り、単に前記被蓋側作動液体の一部に浸漬されたのみの電熱線の加熱に依り、前記作動液体の物理特性に順じて、素早く液全体が加熱され、その全表面から作動液体は気化上昇し、低温の筒体壁に接触して冷却され、液化し、作動液体原液中に落下還流され、再度加熱されて同一サイクルを繰り返す。【選択図】図３
0003122621.tif 000002
【実用新案登録請求の範囲】
【請求項１】
高熱伝導性単一パイプの一部内に、所定量の適当な温度で気化し且つ凝縮化する作動液体を密封すると同時に、絶縁された電熱線を前記パイプの一端内側に装着して前記作動液体の一部を加熱する様に浸漬すると同時に、その端子をパイプ蓋部外に突出させ、電源コネクタ−に接続して通電する如く構成すると共に、その内部空間を高真空化した事を特徴とする作動液体内側電熱加熱型高真空ヒ−トパイプ。
【請求項２】
請求項１記載の作動液体内側電熱加熱型高真空ヒ−トパイプを、被暖房体内に所望方向から所望数挿入し、相互に連結して加熱する様に構成した事を特徴とする面暖房装置。
【考案の詳細な説明】
【技術分野】
【０００１】        本考案は、所望作動液体を部分的に封入した高真空パイプ内に、この液体を加熱する熱源、特に電熱線を前記パイプの一端内に装着した高真空ヒ−トパイプに関する。
【背景技術】
【０００２】        従来のヒ−トパイプは、一般的に図１及び図２に示すヒ−トパイプが使用されているが、この手段はアルミ等の熱伝導性の良い内管（２）及び外管（３）との二重構造より成り、此等二者間は密閉され真空化されると同時に、人体に無害な気化し易い水、液体アンモニア、メタノ−ル、フルテックＰＰ３及びＰＰ４（商品名）、サ−メックス（商品名）等の液体が部分的に封入され、内管（２）内には、前記作動液体を活性化する加熱流体例えば水、又は水蒸気が流通されている。【０００３】        この様な構成に於て、内管（２）内に湯等を導入した場合には、作動液体（４）はその気化温度で矢印（ｆ）方向に蒸発し、低温方向に急速に伝導され、外管（３）に接触して凝縮し、その際放出する熱（Ｆ）に依り管壁（３）を介してその外側の目的物を加熱すると同時に、凝縮された作動液体は矢印（ｆ’）方向に滴下して原作動液体（４）内に還流され、内管内の湯の加熱が続く限り、此の気化−凝縮−液化−還流のサイクルを繰り返して、管外環境を一定温度にまで加熱し続ける。
従って此の様な加熱手段は、例えば床、風呂、貯湯タンク、養魚槽等の加熱装置として有利に利用されている。【０００４】        更に又、上記ヒ−トパイプの一端又は一部を特殊な熱源例えば電熱源等で加熱又は加温し、特定寸法の真空ヒ−トパイプ内の作動液体を活性化し、その液−気−液の相変換時の発熱で目的物を加熱又は保温する装置、例えば真空魔法瓶も又提案されている。
【特許文献１】        実公昭５７−５５７８４号
【考案の開示】
【考案が解決しようとする課題】
【０００５】        然しながら、上記した図１及び図２に示す従来型の循還方式ヒ−トパイプ作動液体活性化の一手段は、ボイラ−等で温められた温湯又は水蒸気を内管（２）内に流通して、全作動液体（４）内を循還させ、此を加熱し、気化させ、そして凝縮させて相変化させ、此の時に放出される熱に依り目的物を加熱する様に構成したものであるから、目的物が所定温度に達する迄、常時此の加温液体又は蒸気を循還し続けなければならず、装置の構造上並びに熱エネルギ−上、未だ改良の余地が残存していた。【０００６】        そこでこの種ヒ−トパイプは、近年に至り、上記した使用可能で沸点の異なる種々な作動液体を、目的に応じて選択する事に依り、目的とする加熱、加温物体に応じてその熱伝導性、沸点等を適宜変化させると共に、単に作動液体の一部を加熱するのみで急速に熱伝導してその全体を加熱し、液面全体から気化し、パイプ壁面で冷却して凝縮液化し、その相変換時の放熱作用でパイプ全体を加熱して一本の発熱体に変化し、隣接する目的物を加熱し、それと同時に凝縮され滴下した凝縮液を、原作動液体中に還流し、再びこの動作を繰り返す様に改良されるに至っている。【０００７】        この様なヒ−トパイプ加熱サイクル技術は、例えば特許文献１中に開示された電気魔法瓶に利用されている。即ち：
この魔法瓶は、真空二重容器の底部に開口部を設け、この開口部にヒ−トパイプを挿入固定し、外部に突出したパイプの一端に電気発熱体を設け、此に依り前記ヒ−トパイプ作動液体の一部を加熱し、上記した様にこれを一本の加熱体に変化させて、効率よく目的内容物を加熱し且つ保温する様に構成したものである。【０００８】        しかしながら、この技術のヒ−トパイプ加熱手段は、ヒ−トパイプの底部外側に、電気発熱体例えばサ−ミスタ−ヒ−タ−を装着せねばならず、その為に故障も多く、電源との接続も複雑とならざるを得ない欠点がある。
【問題を解決する為の手段】
【０００９】        従って本考案のヒ−トパイプは、先ず第１にその作動液体をただ一種のみ使用するのではなく、所望の加熱特性を体現出来る様に、入手し易い作動液体物質を基材に、複数の他の安全な液体を混合し、最適の作動液体に変性して使用すると同時に、部分的に真空封入された此の作動液体の一端内に、絶縁された電熱線を直接装着し、効率よくこれを加熱して一本の加熱体に変化させ、その熱に依り近接する所望目的物を加熱又は保温する様に構成した事を特徴とする。
【考案の効果】
【００１０】        斯くて本考案のヒ−トパイプは、：
（１）  ヒ−トパイプの作動液体の物理特性を、種々の作動液体を基材として、複数の無害の液体を混合する事に依って変性し、目的に応じて最も適した特殊混合液体を使用するので、目的物の加熱加温効果が早く且つ大きい。
（２）  真空パイプ内に絶縁した電熱線を直接封入するので製造が容易で安全である。
（３）  電源との接続コネクタ−が単純且つ安価である。
（４）  被加熱体例えば床暖房装置に装着、取り外し及び相互間の電気的接続が容易であり、パイプ全体がエネルギ−ロスを殆ど０％に近い熱交換率で加熱可能である。
【考案を実施する為の最良の形態】
【００１１】      此の様な作用並びに効果を考慮して、本考案の最良の実施形態は、基本的には先ず目的物を効果的に加熱し得る上記の如き作動液体を調整し、その調整された特殊液体を、特定寸法の高熱伝導性パイプ内に部分的に封入すると同時に、絶縁された加熱用電熱線をその一方の端部の前記作動液体中に浸漬して封入し、その端子を封入蓋外に装着して抜気真空化し、更に適当な接続用コネクタ−を前記端子に連結して一本のヒ−トパイプを形成し、斯くの如く形成されたヒ−トパイプを、所定寸法の床又は壁等の被暖房体内の所望個所に所望方向から挿入又は装着した後、各自のコネクタ−を相互に連結して電源に接続し、床又は壁暖房として利用する事を特徴とする。
以下、図面を参照して本考案の好個の実施の態様を説明する。
【実施例】
【００１２】      本考案の高真空−電熱内側加熱型ヒ−トパイプ（５）は、熱伝導性の良好な素材例えばアルミニュ−ム等の材料より成り、その内側には、上記した人体に無害で気化し易い基本作動液体、例えばアンモニア、メタノ−ル、エタノ−ル、水等に安全で所望物理特性を持つ液体を添加して、その沸点、熱伝導度等を最適なものに変性した液体（７）を部分的に封入し、適当な発熱量の電熱線（６）を絶縁材（１１）で被覆するか或は被覆せず浸漬封入し、キャップ（１２）で密閉して充分抜気した後、此のキャップ上の電熱線端子（８）（８）とプラグ（９）とを接続した事を特徴とする。【００１３】      斯の如きヒ−トパイプ（５）は、プラグ（９）を電源に接続する事に依り、前記変性作動液体（７）内の電熱線（６）に通電し、此を加熱し、上記した様に作動液体（７）を上向き矢印方向に気化させ、パイプ壁に接触した後その熱を奪われ冷却されて液化し、下向き矢印方向に滴下して原作動液体（７）内に還流され、再び加熱されてこの気化−液化の相変化を繰り返し、此の際の熱交換に依り、パイプ壁を通して被加熱体（１０）例えば床面、壁面等を連続的に加熱して暖房効果を達成する。【００１４】      斯くて此の作動液体内側電熱加熱型高真空ヒ−トパイプは、加熱源がパイプの一端に装着されているにも関わらず、作動液体全体えの熱の伝導は素早く、液−気相変換も容易且つ迅速に行なわれるので、目的物例えば床（１０）の加熱暖房は迅速に行なわれる。又、パイプの形状を差し込み型に形成し、図３に示す如く、適当な方向に適当数のパイプを目的物内に挿入して相互に連結すれば、容易に面暖房も行ない得るので、極めて経済的な床暖房装置を提供出来る。
【図面の簡単な説明】
【００１５】
【図１】  作動液体加熱手段が水又は水蒸気等を使用する従来型のヒ−トパイプの切断正面図である。
【図２】  図１のヒ−トパイプの切断側面図である。
【図３】  本考案の作動液体内側電熱加熱型高真空ヒ−トパイプの一部切断斜視図である。
【符号の説明】
【００１６】  １      従来型ヒ−トパイプ
２      内管
３      外管
４      作動液体
５      本考案の作動液体内側電熱加熱型高真空ヒ−トパイプ
６      電熱線
７      変成作動液体
１０    床
１２    キャップ
【図１】
0003122621.tif 000003
【図２】
0003122621.tif 000004
【図３】
0003122621.tif 000005